(57)【特許請求の範囲】
【請求項１】
本体側筐体とＬＣＤ側筐体の二つの筐体が筐体回動部を介して回動自在に連結して一体構成される折り畳み式携帯電話装置において、
前記ＬＣＤ側筐体および筐体回動部には開口せずに、本体側筐体の合わせ面および背面に開口するカメラユニットを配設し、
前記筐体回動部とは別体の前記カメラユニットは略円筒形を成して、その中心を回動軸として回動自在にして、前記本体側筐体の前記合わせ面および前記背面でレンズの向きが自在となるよう構成されるとともに、
前記カメラユニットのカメラ本体部の回動軸を前記本体側筐体の内部から延長するようにして形成される支持体の本体側の中心軸から背面側にずらして、前記カメラユニットが前記本体側筐体の前記合わせ面側に突設しないよう構成される、ことを特徴とする折り畳み式携帯電話装置。
【請求項２】
請求項１記載の折り畳み式携帯電話装置において、
前記カメラユニットは前記本体側筐体の前記背面側に突設するよう構成されることを特徴とする折り畳み式携帯電話装置。
【請求項３】
請求項１または２記載の折り畳み式携帯電話装置において、
前記本体側筐体の背面側には前記略円筒形のカメラユニットの径よりも大きな径で形成されて高く突設したカメラ保護部を有して構成されることを特徴とする折り畳み式携帯電話装置。
【請求項４】
請求項１乃至３いずれかに記載の折り畳み式携帯電話装置において、
前記カメラユニットは表面に凹凸部を備えて構成されることを特徴とする折り畳み式携帯電話装置。
【請求項５】
請求項１乃至４いずれかに記載の折り畳み式携帯電話装置において、
前記カメラユニットの回動部は前記本体側筐体との凹凸係合により回動動作の一時的停止を可能として構成されることを特徴とする折り畳み式携帯電話装置。
【請求項６】
請求項１乃至５いずれかに記載の折り畳み式携帯電話装置において、
前記カメラユニットは一定以上の前記本体側筐体との回動動作を規制するストッパー構造を備えて構成されることを特徴とする折り畳み式携帯電話装置。
【発明の詳細な説明】
【０００１】
【発明の属する技術分野】
本発明は、折り畳み式携帯電話装置等の電子装置に係り、より詳細にはカメラを内蔵する折り畳み式携帯電話装置の構造に関するものである。
【０００２】
【従来の技術】
図４(１)は従来のカメラ付きの携帯電話機であり、カメラユニットＤは携帯電話機筐体Ａ内部に固定されて取り付けられていて、カメラユニットＤのレンズ部Ｄ１は筐体外面上の表示部１１の側に固定されて設置されている。
また図４(２)は、従来のカメラ付き電話機として用いられる携帯電話装置Ａと他の電子装置Ａ’の組み合わせの例であり、他の電子装置Ａ’の方ではカメラユニットＤを有しており、携帯電話機Ａと他の電子装置Ａ’とをインターフェイス等で接続して使用される。
【０００３】
【発明が解決しようとする課題】
しかしながら、上に示した従来の装置においては、種々の問題点がある。すなわち、図４(１)の場合では、カメラユニットＤのカメラレンズ部Ｄ１は筐体外面上のＬＣＤ等の表示部１１と同じ側に固定されていて、カメラレンズ部Ｄ１自体は動かない構造である。よって、表示部１１を見ながらカメラレンズ部Ｄ１（表示部１１）と同じ側にある被写体、例えば使用者自身の顔などは表示部に映る被写体を見ながら撮影することができるものの、カメラレンズ部Ｄ１（表示部１１）と同じ側にはない被写体を撮影することは、表示部１１とカメラレンズ部Ｄ１とは同じ側にあるため、被写体を見ながら撮影することができなくなり、撮影自体がうまくできなくなる。
また、図４(２)の場合では、携帯電話機Ａの他に、別体のカメラユニットＤを有する電子装置Ａ’を常に持ち運びしなければならず不便であり、また、撮影方向性・コンパクト性・収納性・携帯性・操作性・コスト性などに面においても様々な問題が生じていた。
【０００４】
本発明は、上述のような従来装置の問題点に鑑みなされたもので、カメラ付きの折り畳み携帯電話機の撮影容易性・コンパクト性・操作性を向上させ、収納性・携帯性・操作性・コスト性などに面においても性能を向上させるカメラ付き携帯電話装置を提供することを目的とする。なお、本明細書では折り畳み携帯電話装置について記載するが、携帯電話装置以外の折り畳み式の電子装置（例えば、携帯無線機、モバイル端末、パソコンなど）に対しても本発明が適用できるものである。
【０００５】
【課題を解決するための手段】
上述の課題を解決するために、本発明による折り畳み式携帯電話装置は次のような手段を用いる。なお、付した符号は図面のそれに一致する。
（１）本体側筐体ＡとＬＣＤ側筐体Ｂの二つの筐体が筐体回動部Ｃを介して回動自在に連結して一体構成される折り畳み式携帯電話装置において、
本体側筐体Ａの合わせ面Ａ１および背面Ａ２に開口するカメラユニットＤを配設して構成される折り畳み式携帯電話装置とした。
（２）この折り畳み式携帯電話装置において、カメラユニットＤは本体側筐体Ａの合わせ面Ａ１では突設しないよう構成される。
（３）この折り畳み式携帯電話装置において、カメラユニットＤは本体側筐体Ａの背面Ａ２側に突設するよう構成される。
（４）この折り畳み式携帯電話装置において、本体側筐体ＡにはカメラユニットＤよりも高く突設したカメラ保護部（凸状部Ａ３ｂ）を形成して構成される。
（５）この折り畳み式携帯電話装置において、カメラユニットＤは本体側筐体Ａの合わせ面Ａ１および背面Ａ２側ではレンズ向きが自在となるよう構成される。
（６）この折り畳み式携帯電話装置において、カメラユニットＤは略円筒形を成し、その軸を中心として回動自在にして構成される。
（７）この折り畳み式携帯電話装置において、カメラユニットＤは表面に凹凸部Ｄ２ａを備えて構成される。
（８）この折り畳み式携帯電話装置において、カメラユニットＤは本体側筐体Ａとの凹凸係合により回動動作の一時的停止を可能として構成される。これらは、回動部Ｄ２ｂに設けられる突起部Ｄ２ｂｚと係止部Ｄ２ｂｘとが、本体側筐体Ａの側の案内部Ａ３ｙと係止凸部Ａ３ｘと係合連携する関係を成すように設定されて構成がなされる。
（９）この折り畳み式携帯電話装置において、カメラユニットＤは一定以上の本体側筐体Ａとの回動動作を規制するストッパー構造（突起部Ｄ２ｂｚと本体側筐体Ａの案内部Ａ３ｙとの係合関係による）を備えて構成される。
また、(１)〜(９)に基づいて、次のような「折り畳み式携帯電話装置」を構成することができる。
［１］（上記(１)(２)(５)および(６)に基づく）
本体側筐体とＬＣＤ側筐体の二つの筐体が筐体回動部を介して回動自在に連結して一体構成される折り畳み式携帯電話装置において、
前記ＬＣＤ側筐体および筐体回動部には開口せずに、本体側筐体の合わせ面および背面に開口するカメラユニットを配設し、
前記筐体回動部とは別体の前記カメラユニットは略円筒形を成して、その中心を回動軸として回動自在にして、前記本体側筐体の前記合わせ面および前記背面でレンズの向きが自在となるよう構成されるとともに、
前記カメラユニットのカメラ本体部の回動軸を前記本体側筐体の内部から延長するようにして形成される支持体の本体側の中心軸から背面側にずらして、前記カメラユニットが前記本体側筐体の前記合わせ面側に突設しないよう構成される、ことを特徴とする折り畳み式携帯電話装置。
［２］（上記(３)に基づく）
[1]の折り畳み式携帯電話装置において、
前記カメラユニットは前記本体側筐体の前記背面側に突設するよう構成される。
［３］（上記(４)に基づく）
[1]または[2]の折り畳み式携帯電話装置において、
前記本体側筐体の背面側には前記略円筒形のカメラユニットの径よりも大きな径で形成されて高く突設したカメラ保護部を有して構成される。
［４］（上記(７)に基づく）
[1]〜[3]の折り畳み式携帯電話装置において、
前記カメラユニットは表面に凹凸部を備えて構成される。
［５］（上記(８)に基づく）
[1]〜[4]の折り畳み式携帯電話装置において、
前記カメラユニットの回動部は前記本体側筐体との凹凸係合により回動動作の一時的停止を可能として構成される。
［６］（上記(９)に基づく）
[1]〜[5]の折り畳み式携帯電話装置において、
前記カメラユニットは一定以上の前記本体側筐体との回動動作を規制するストッパー構造を備えて構成される。
【０００６】
【発明の実施の形態】
以下、添付図面を参照して本発明による折り畳み式携帯電話装置の実施の形態を詳細に説明する。
図１は、本発明による折り畳み式携帯電話装置の一例を示す外観図であり、（２）は閉じた装置の正面図、（３）は開いた装置の正面図であり、また（５）は閉じた装置の上面図、（１）は閉じた装置の左側面、さらに（４）は開いた装置の右側面、である。
【０００７】
本発明による折り畳み式携帯電話装置は、本体側筐体ＡとＬＣＤ側筐体Ｂとの二つの筐体を備え、これらの筐体が筐体回動部Ｃを介して回動自在に連結されて一体に構成されており、本体側筐体ＡとＬＣＤ側筐体Ｂとは互いの内面を面合わせされ折り畳まれて収納状態を形成する構造を有している。
本体側筐体ＡとＬＣＤ側筐体Ｂのそれぞれの面合わせ側においては、本体側筐体Ａの合わせ面Ａ１にはキー操作部Ａ１ａとカメラユニットＤを、そして、ＬＣＤ側筐体Ｂの合わせ面Ｂ１にはＬＣＤ１０（表示部）を備えている。また、本体側筐体Ａの背面Ａ２側にアンテナ部Ｆを備えている。
【０００８】
さて、本発明におけるカメラユニットＤは、本体側筐体Ａに内設されていて、レンズ部Ｄ１を有している。カメラユニットＤは、本体側筐体Ａの合わせ面Ａ１および背面Ａ２に開口して露出するように配設される。このとき、カメラユニットＤはユニット全てを開口して露出させなくともよく、レンズ部Ｄ１だけが露出させる構造にしてもよい。
【０００９】
そして、本発明におけるカメラユニットＤは、本体側筐体Ａの合わせ面Ａ１と背面Ａ２のいずれかの面または両方の面から突設して形成されていいても良いし、突設しないように形成されていいても良いものである。これらは設計の段階において適宜選択して用いればよい事項であるが、カメラユニットＤの厚みと本体側筐体Ａの厚みに依存してくる。例えば、カメラユニットＤの厚みが本体側筐体Ａの厚みより大きければ、いずれかの面または両方の面から突設して形成されるのが自然である。
【００１０】
ここで、本発明におけるカメラユニットＤが、本体側筐体Ａの合わせ面Ａ１と背面Ａ２のいずれかの面から突設して形成されるとするならば、本体側筐体Ａの合わせ面Ａ１からは突設させるのではなく、背面Ａ２から突設して形成されるのが好ましい。これは、本体側筐体ＡとＬＣＤ側筐体Ｂの二つの筐体を折り畳まれた状態を想定すると、ＬＣＤ１０とカメラユニットＤとが干渉することがなく安全な構造が形成できるからである。
また、本体側筐体Ａの合わせ面Ａ１からは突設させる場合においては、ＬＣＤ側筐体ＢのＬＣＤ１０の位置を、カメラユニットＤと当接する位置からずらしてしまうのがよい。そしてこれには、筐体を折り畳まれた状態ではカメラユニットＤを収納できるような凹形収納部をＬＣＤ側筐体Ｂに設けて構成するならば、うまく収納して対処することができる。
【００１１】
カメラユニットＤが、合わせ面Ａ１の側に開口して配設されたならば、合わせ面Ａ１の側にある被写体を、カメラユニットＤまたはカメラレンズ部Ｄ１を操作して向き移動や調整等をすることにより、ＬＣＤ１０（表示画面）に映る被写体を見ながら撮影することができるものである。
そして今度は、カメラユニットＤが、背面Ａ２の側に開口して配設されたならば、背面Ａ２の側にある被写体を、カメラユニットＤまたはカメラレンズ部Ｄ１を操作して向き移動や調整等をすることにより、ＬＣＤ１０（表示画面）に映る被写体を見ながら、撮影することができるものである。この場合は、カメラレンズ部Ｄ１の向きとＬＣＤ１０（表示画面）の向きとは、ちょうど一般のカメラのように反対方向を向けて設定することができるので、使用者は撮影がとてもやりやすい。
【００１２】
この折り畳み式携帯電話装置において、このカメラユニットＤは本体側筐体Ａの合わせ面Ａ１側および／または背面Ａ２側でレンズ向きが自在となるよう構成される。このような構造を形成するにあたっては、カメラユニットＤまたはレンズ部Ｄ１の向きが変更できる構造を構成すればよいものであり、従来から知られた技術を適宜採用して適用すればよい。このような場合、1)レンズ部Ｄ１はカメラユニットＤに固定されていて、カメラユニットＤが可動する。2)レンズ部Ｄ１がカメラユニットＤから可動する。3)レンズ部Ｄ１とカメラユニットＤとの両方が可動する。の３通りが考えられる。
【００１３】
図２（１）は本発明による折り畳み式携帯電話装置の本体側筐体Ａの合わせ面Ａ１側から見た外観斜視図であり、図２（２）は同じくその背面Ａ２側から見た外観斜視図である。また、図２（３）は同じくそのカメラユニットＤの端部側のＰ−Ｐ断面（図２（１）参照）による部分断面図であり、カメラユニットＤの回動部Ｄ２ｂと本体側筐体Ａに形成された支持体Ａ３との連携関係を示す。
【００１４】
本発明のカメラユニットＤは、カメラ本体部Ｄ２と本体側筐体Ａ側の支持体Ａ３を有して構成されている。このカメラ本体部Ｄ２は略円筒形にして形成され、略円筒表面側中央にはレンズ部Ｄ１を備え、略円筒形表面の端部側には凹凸形状で円周状にして形成される凹凸部Ｄ２ａを有し、両端には円筒環状の回動部Ｄ２ｂを有する。この凹凸部Ｄ２ａは、カメラ本体部Ｄ２を手動で向きを回動させるにあたり、使用者が操作しやすくなるようにするものであり、グリップ感覚を増すことができ快適な操作が可能となる。
なお、このカメラ本体部Ｄ２は略円筒形であり、図１または図２においては、その円筒軸の方向は筐体回動部Ｃと平行するように構成してあるが、これに限ることはなく、カメラ本体部Ｄ２の円筒軸の方向はいずれの方向を向いていても設計が可能である。
【００１５】
そして、本体側筐体Ａ内部から延長するようにして形成される支持体Ａ３は、カメラ本体部Ｄ２を回動可能に支持する部分（Ａ３ａ・Ａ３ｂ・Ａ３ｃから構成される部分）は略円筒形をなし、凹状部Ａ３ａおよび凸状部Ａ３ｂとによりその本体側筐体Ａの軸ｍ１をずらせて形成された回動部Ａ３ｃを有している。
このような構成からなる支持体Ａ３の回動部Ａ３ｃは、カメラ本体部Ｄ２の回動部Ｄ２ｂと、円筒環状の凹凸形状で遊嵌的に連携係合することにより連結して、回動の自在な構造を形成する。
【００１６】
図２(３)に示すように、カメラ本体部Ｄ２の回動部Ｄ２ｂの軸ｍ２はカメラ本体部Ｄ２の中心を通っているが、支持体Ａ３の回動部Ａ３ｂの軸でもある軸ｍ２は本体側筐体Ａの軸ｍ１からずらしている。よって、カメラ本体部Ｄ２は支持体Ａ３によって位置ズレを起こしていて、凸状部Ａ３ｂの側つまり本体側筐体Ａの背面Ａ２側において、背面Ａ２からカメラ本体部Ｄ２が開口して露出され、突設する構造を形成する（図２(２)参照）。
このとき、支持体Ａ３のカメラ本体部Ｄ２に接する端面Ａ３ａ’と、カメラ本体部Ｄ２の外表面とを、段差ｈ１が生じさせるように設計することができる。またそのとき、支持体Ａ３の外表面径とカメラ本体部Ｄ２の外表面径をほぼ等しく設定するならば、カメラ本体部Ｄ２に接する端面Ａ３ａ’よりも段差ｈ１の分だけカメラ本体部Ｄ２が突設するような構造を形成することができる。
ここでの段差寸法ｈ３（間隔、隙間）は、本体側筐体ＡとＬＣＤ側筐体Ｂとが折り畳まれて合わされたとき、ＬＣＤ１０とカメラユニットＤとが干渉して損傷し合うことがないように作用するものである。
【００１７】
そして図２（３）においては、支持体Ａ３の凸状部Ａ３ｂ側のカメラ本体部Ｄ２に接する側の端面Ａ３ｂ’と、カメラ本体部Ｄ２の外表面との間で新たなに段差ｈ２を設定しているおり、段差ｈ１と突設する寸法量とが等しくはなっていない。この段差ｈ２により、カメラ本体部Ｄ２またはレンズ部Ｄ１が、支持体Ａ３の凸状部Ａ３ｂより突設して外側に飛び出すことはなくなるため、この段差ｈ２はこれらを保護することとなり、凸状部Ａ３ｂはカメラ保護部としても有効に働くこととなる。
さらに、カメラ本体部Ｄ２の回動部Ｄ２ｂは円筒状をなし内部は空洞として設計することができるので、この空間構造を利用して、カメラユニット用の配線等を通すための挿通部Ｄ２ｂ’として設定することができる。
【００１８】
さて、図３（１）は本発明によるカメラ本体部Ｄ２の端部にある円筒状の回動部Ｄ２ｂの構造の他の例を示す外観斜視図である。また、図３（２）はカメラ本体部Ｄ２の回動部Ｄ２ｂと本体側筐体Ａとの回動連結構造を示す断面による説明図であり、さらに、図３（３）はカメラ本体部Ｄ２の回動部Ｄ２ｂが突起部Ｄ２ｂｚを有する場合において、本体側筐体Ａとのストッパー的回動連結構造を示す断面による説明図である。
【００１９】
図３では、本発明によるカメラ本体部Ｄ２の端部にある円筒状の回動部Ｄ２ｂの構造の他の例を示しており、回動部Ｄ２ｂは軸長手方向の直線的なスリットＤ２ｂｙ、スリットＤ２ｂｙの表面中央側には係止部Ｄ２ｂｘ、また、回動部Ｄ２ｂの表面に突出するようにして突起部Ｄ２ｂｚを備えている。
このスリットＤ２ｂｙは、回動部Ｄ２ｂに均等間隔で複数または多数個数設けることにより、回動部Ｄ２ｂの弾力性・可撓性・柔軟性を増すことができ、スムーズな回動を可能とさせるものである。
【００２０】
そして、回動部Ｄ２ｂの表面にスリットＤ２ｂｙごとに係止部Ｄ２ｂｘを設けておき、この係止部Ｄ２ｂｘを係合して掛止させるために、本体側筐体Ａの側に係止凸部Ａ３ｘを設定する構成（図３(２)参照）とするとよい。このような構成により、カメラユニットＤと本体側筐体Ａとはある特定の角度をもって停止することとなり、快適な回動クリック感覚をも得ることができる。
図３(１)では、係止部Ｄ２ｂｘはスリットＤ２ｂｙを跨(また)ぐようにして形成されているがこれに限らず、スリットＤ２ｂｙを跨がせずに回動部Ｄ２ｂの表面個所のみに、例えば円形の係止部Ｄ２ｂｘを形成してもよい。
【００２１】
図３(３)は、カメラ本体部Ｄ２の回動部Ｄ２ｂが突起部Ｄ２ｂｚを備えている例を示す。突起部Ｄ２ｂｚは、回動部Ｄ２ｂに少なくとも１箇所設けられていればよく、この突起部Ｄ２ｂｚは回動部Ｄ２ｂの回動動作を規制して回動角度を制限する働きをする。
このため、本体側筐体Ａの側に円環溝状の案内部Ａ３ｙが設定されており、突起部Ｄ２ｂｚは案内部Ａ３ｙに遊嵌させられる構成であり、内部での摺動または滑動が可能となっている。案内部Ａ３ｙは円周の一部において突起部Ｄ２ｂｚを不通とする構造（Ａ３ｙ’）を備えているので、これによりカメラユニットＤは回動角度の制限がなされる。
【００２２】
そして、回動部Ｄ２ｂに設けられる突起部Ｄ２ｂｚと係止部Ｄ２ｂｘとは、本体側筐体Ａの側の案内部Ａ３ｙと係止凸部Ａ３ｘと連携して関係するように設定がなされて構成されるが、回動部Ｄ２ｂが回動の動作したとき突起部Ｄ２ｂｚと係止部Ｄ２ｂｘの動作の円周状軌跡がそれぞれ干渉しないように設定される必要がある。そのため、図３(１)に示すように、突起部Ｄ２ｂｚは回動部Ｄ２ｂの口元端部面側に、また、係止部Ｄ２ｂｘは回動部Ｄ２ｂの中央部側表面に設けられていて、本体側筐体Ａの側の案内部Ａ３ｙと係止凸部Ａ３ｘとはこれらと連携するよう設定されて構成される。
【００２３】
【発明の効果】
このように本発明によれば、次のような優れた効果を発揮する。なお、次の効果の記載は請求項に対応している。
（１）折り畳み式携帯電話装置において、本体側筐体Ａの合わせ面Ａ１および背面Ａ２に開口するカメラユニットＤを配設して構成したので、ＬＣＤ（表示部）と同じ側の被写体のみならず、ＬＣＤの背面側の被写体をもＬＣＤを見ながら撮影することができる。しかも、折り畳み式携帯電話装置として構成してあるので、筐体を折り畳んだときカメラユニットＤを内側に収納することができ、レンズ等を傷めることがなくなる。
（２）カメラユニットＤは本体側筐体Ａの合わせ面Ａ１では突設しないよう構成されるので、ＬＣＤ１０の表示画面とカメラユニットＤとが緩衝することがなく、よってこれらが相互に損傷を与え合うことがないので安全である。
（３）カメラユニットＤは本体側筐体Ａの背面Ａ２側に突設するよう構成されるので、使用者は背面Ａ２側からカメラユニットＤの向きの調整を簡単に行なうことができる。従って、使用者はＬＣＤ１０を見ながらカメラユニットＤの調整を、キー操作部Ａ１に干渉することなく行なうことが容易となる。
（４）本体側筐体ＡにはカメラユニットＤよりも高く突設したカメラ保護部（凸状部Ａ３ｂ）を形成して構成されるので、装置を誤って落下させた時でも、カメラユニットＤが直接地面に当たることがなく保護されるので安全である。
（５）カメラユニットＤは本体側筐体Ａの合わせ面Ａ１側および背面Ａ２側でレンズ向きが自在となるよう構成されるので、写真撮影が大変やりやすくなり、様々な角度の被写体に対応して撮影ができる。
（６）カメラユニットＤは略円筒形を成し、その軸を中心として回動自在にして構成されるので、カメラ撮影の操作がやりやすく確実であり、被写体に対するレンズ向きの調整が簡単にできる。
（７）このカメラユニットＤは、表面に凹凸部Ｄ２ａを有して構成されるので、使用者はグリップ感が増してさらに回動させやすく使いやすい。
（８）このカメラユニットＤは本体側筐Ａとの凹凸形合により回動動作の一時的停止を可能として構成されるので、回動にクリック感覚が持たせられて、被写体に対するレンズ角度の設定が簡単にできる。
（９）カメラユニットＤは本体側筐体Ａとの一定以上の回動動作を規制するストッパー構造（突起部Ｄ２ｂｚと本体側筐体Ａの案内部Ａ３ｙとの係合関係による）を備えて構成されるので、カメラユニットＤが必要以上に回転することがなく、回動部を通した配線が捩じれて切断してしまうことを防止できる。
【図面の簡単な説明】
【図１】本発明による折り畳み式携帯電話装置の一例を示す外観図であり、（１）は閉じた装置の左側面、（２）は閉じた装置の正面図、（３）は開いた装置の正面図、（４）は開いた装置の右側面、（５）は閉じた装置の上面図、である。
【図２】（１）は本発明による折り畳み式携帯電話装置の一例の本体側筐体Ａの合わせ面Ａ１の側を示す外観斜視図であり、また、図２（２）は同じくその背面Ａ２の側を示す外観斜視図であり、さらに、図２（３）は同じくそのカメラユニットＤのＰ−Ｐ断面（図２（１）に示す）による部分断面図である。
【図３】（１）は本発明によるカメラ本体部Ｄ２端にある円筒状の回動部Ｄ２ｂの構造の他の例を示す外観斜視図であり、また、（２）はカメラ本体部Ｄ２の回動部Ｄ２ｂと本体側筐体Ａとの回動連結構造を示す断面による説明図であり、さらに、（３）はカメラ本体部Ｄ２の回動部Ｄ２ｂが突起部Ｄ２ｂｚを有する場合において、本体側筐体Ａとの回動連結構造を示す断面による説明図である。
【図４】従来のカメラユニット付きの携帯電話機や電子装置の外観斜視図であり、(１)は従来のカメラ付きの携帯電話機を示し、また、(２)は従来のカメラ付き電話機として用いられる携帯電話装置と他の電子装置の組み合わせの例を示す。
【符号の説明】
Ａ      本体側筐体
Ｂ      ＬＣＤ側筐体
Ｃ      筐体回動部
Ａ１    本体側筐体Ａの合わせ面
Ａ２    本体側筐体Ａの背面
Ｄ      カメラユニット
Ｄ２    カメラ本体部
Ｄ２ａ    凹凸部
Ｄ２ｂ    回動部
Ｄ２ｂｘ  係止部
Ｄ２ｂｚ  突起部
Ａ３      支持体
Ａ３ｂ    凸状部（カメラ保護部）
Ａ３ｘ    係止凸部
Ａ３ｙ    案内部
【図１】
0004520009.tif 000002
【図２】
0004520009.tif 000003
【図３】
0004520009.tif 000004
【図４】
0004520009.tif 000005